(57)【特許請求の範囲】
【請求項１】
内部に中空部を有する膨縮自在な弾性材からなる洗浄用部材を分岐管から本管内へ挿入して、本管内面を洗浄する管内面の洗浄方法であって、
洗浄用部材を縮径した状態で挿入用筒内に収め、
本管内の流れを遮断した状態で、挿入用筒を分岐管から分岐管と本管との接続連通部に挿入し、
洗浄用部材を挿入用筒内から本管内へ押し出し、
流体を中空部に注入して洗浄用部材を拡径し、
本管内の上流側から流体を流して洗浄用部材を本管内の下流側へ移送して、洗浄用部材が本管の内面を摺動することにより、本管内面を洗浄することを特徴とする管内面の洗浄方法。
【請求項２】
洗浄用部材を縮径して洗浄用部材に水を付着させ、
水を付着した洗浄用部材を冷凍した状態で挿入用筒内に収め、
洗浄用部材を解凍した後、挿入用筒を分岐管から接続連通部へ挿入することを特徴とする請求項１記載の管内面の洗浄方法。
【請求項３】
洗浄用部材を縮径した状態で薄いカバー体を洗浄用部材に被せ、
挿入用筒の内面とカバー体の外面との少なくともいずれかに滑剤を塗布し、
洗浄用部材をカバー体と共に挿入用筒内に収め、
本管内の流れを遮断した状態で、挿入用筒を分岐管から接続連通部に挿入した後、
洗浄用部材をカバー体と共に挿入用筒内から本管内へ押し出し、
カバー体を本管内から分岐管を通じて回収し、
流体を中空部に注入して洗浄用部材を拡径することを特徴とする請求項１又は請求項２記載の管内面の洗浄方法。
【請求項４】
押出用治具を分岐管内に挿入して、洗浄用部材を挿入用筒内から本管内へ押し出すことを特徴とする請求項１から請求項３のいずれか１項に記載の管内面の洗浄方法。
【請求項５】
上記請求項１から請求項４のいずれか１項に記載の洗浄方法に使用される管内面の洗浄装置であって、
挿入用筒に、挿入用筒を分岐管内から回収する筒回収手段が接続され、
洗浄用部材に、流体を分岐管内から中空部に注入する注入手段が着脱自在に接続されていることを特徴とする管内面の洗浄装置。
【発明の詳細な説明】
【技術分野】
【０００１】
本発明は、例えば水道管等の管内面の洗浄方法および洗浄装置に関する。
【背景技術】
【０００２】
従来、この種の管内面の洗浄方法については、例えば、水道管内の流れを遮断した状態で、洗浄用ピグを分岐管から水道管内へ挿入し、その後、水道管内の上流側から送水して洗浄用ピグを水道管内の下流側へ移送しながら、水道管の内面を洗浄用ピグで洗浄する洗浄方法が知られている（下記特許文献１，２参照）。また、洗浄用ピグとしては、内部に中空部を有する圧縮変形自在なゴム製のものが知られている（下記特許文献３参照）。
【０００３】
通常、分岐管の内径は水道管の内径よりも小さく、洗浄用ピグの直径は水道管の口径に対応して設定されているので、洗浄用ピグを分岐管から水道管内へ挿入する際、洗浄用ピグを圧縮変形して縮径した状態で分岐管から水道管内へ挿入する必要がある。
【先行技術文献】
【特許文献】
【０００４】
【特許文献１】特開２００９−６６５２２
【特許文献２】特開２００８−２５２８３
【特許文献３】特開２００１−８７７２７
【発明の概要】
【発明が解決しようとする課題】
【０００５】
しかしながら上記の従来形式では、洗浄用ピグを分岐管から水道管内へ挿入する際、洗浄用ピグが分岐管の途中で拡径して、洗浄用ピグ（洗浄用部材）を分岐管から水道管内へスムーズに挿入することが難しいという問題がある。
【０００６】
本発明は、洗浄用部材を分岐管から本管内へスムーズに挿入することが可能な管内面の洗浄方法および洗浄装置を提供することを目的とする。
【課題を解決するための手段】
【０００７】
上記目的を達成するために、本第１発明は、内部に中空部を有する膨縮自在な弾性材からなる洗浄用部材を分岐管から本管内へ挿入して、本管内面を洗浄する管内面の洗浄方法であって、
洗浄用部材を縮径した状態で挿入用筒内に収め、
本管内の流れを遮断した状態で、挿入用筒を分岐管から分岐管と本管との接続連通部に挿入し、
洗浄用部材を挿入用筒内から本管内へ押し出し、
流体を中空部に注入して洗浄用部材を拡径し、
本管内の上流側から流体を流して洗浄用部材を本管内の下流側へ移送して、洗浄用部材が本管の内面を摺動することにより、本管内面を洗浄するものである。
【０００８】
これによると、縮径した状態の洗浄用部材が収められた挿入用筒を、分岐管から分岐管と本管との接続連通部に挿入した後、洗浄用部材を挿入用筒内から本管内へ押し出すことにより、洗浄用部材を分岐管から本管内へスムーズに挿入することができる。
【０００９】
本第２発明における管内面の洗浄方法は、洗浄用部材を縮径して洗浄用部材に水を付着させ、
水を付着した洗浄用部材を冷凍した状態で挿入用筒内に収め、
洗浄用部材を解凍した後、挿入用筒を分岐管から接続連通部へ挿入するものである。
【００１０】
これによると、洗浄用部材を縮径した状態で容易に挿入用筒内に収めることができる。
本第３発明における管内面の洗浄方法は、洗浄用部材を縮径した状態で薄いカバー体を洗浄用部材に被せ、
挿入用筒の内面とカバー体の外面との少なくともいずれかに滑剤を塗布し、
洗浄用部材をカバー体と共に挿入用筒内に収め、
本管内の流れを遮断した状態で、挿入用筒を分岐管から接続連通部に挿入した後、
洗浄用部材をカバー体と共に挿入用筒内から本管内へ押し出し、
カバー体を本管内から分岐管を通じて回収し、
流体を中空部に注入して洗浄用部材を拡径するものである。
【００１１】
これによると、挿入用筒の内面とカバー体の外面との少なくともいずれかに滑剤が塗布されているため、カバー体と挿入用筒との摩擦抵抗が低減され、これにより、洗浄用部材をカバー体と共に挿入用筒内から本管内へスムーズ且つ確実に押し出すことができる。
【００１２】
本第４発明における管内面の洗浄方法は、押出用治具を分岐管内に挿入して、洗浄用部材を挿入用筒内から本管内へ押し出すものである。
本第５発明は、上記第１発明から第４発明のいずれか１項に記載の洗浄方法に使用される管内面の洗浄装置であって、
挿入用筒に、挿入用筒を分岐管内から回収する筒回収手段が接続され、
洗浄用部材に、流体を分岐管内から中空部に注入する注入手段が着脱自在に接続されているものである。
【００１３】
これによると、洗浄用部材を挿入用筒内から本管内へ押し出し、注入手段により流体を中空部に注入して洗浄用部材を拡径した後、注入手段を洗浄用部材から外して回収し、挿入用筒を筒回収手段によって分岐管内から回収することができる。
【発明の効果】
【００１４】
以上のように本発明によると、洗浄用部材を分岐管から本管内へスムーズに挿入することができ、また、洗浄用部材を縮径した状態で容易に挿入用筒内に収めることができる。さらに、洗浄用部材をカバー体と共に挿入用筒内から本管内へスムーズ且つ確実に押し出すことができ、また、注入手段と挿入用筒を回収することができる。
【図面の簡単な説明】
【００１５】
【図１】本発明の実施の形態における水道管およびその付帯設備の図である。
【図２】同、水道管内の洗浄に用いる洗浄用ボールの断面図である。
【図３】同、水道管内の洗浄に用いる挿入用筒の斜視図である。
【図４】同、水道管内の洗浄に用いる押出用治具の図であり、（ａ）は正面図、（ｂ）は（ａ）におけるＸ−Ｘ矢視図である。
【図５】同、水道管内の洗浄方法を示す図であり、洗浄用ボールを縮径して縛る行程を示す。
【図６】同、水道管内の洗浄方法を示す図であり、洗浄用ボールを冷凍用筒に挿入する行程を示す。
【図７】同、水道管内の洗浄方法を示す図であり、冷凍用筒を締付ける行程を示す。
【図８】同、水道管内の洗浄方法を示す図であり、冷凍後、洗浄用ボールを冷凍用筒から取り出した状態を示す。
【図９】同、水道管内の洗浄方法を示す図であり、洗浄用ボールにチューブを被せる行程を示す。
【図１０】同、水道管内の洗浄方法を示す図であり、洗浄用ボールを挿入用筒に挿入する行程を示す。
【図１１】同、水道管内の洗浄方法を示す図であり、洗浄用ボールを挿入した挿入用筒の一部切欠き斜視図である。
【図１２】同、水道管内の洗浄方法を示す図であり、挿入用筒を挿入する行程を示す。
【図１３】同、水道管内の洗浄方法を示す図であり、挿入用筒を水道管の頂部に挿入する行程を示す。
【図１４】同、水道管内の洗浄方法を示す図であり、洗浄用ボールを挿入用筒から水道管へ押し出す行程を示す。
【図１５】同、水道管内の洗浄方法を示す図であり、チューブを回収する行程を示す。
【図１６】同、水道管内の洗浄方法を示す図であり、洗浄用ボールを膨らませる行程を示す。
【図１７】同、水道管内の洗浄方法を示す図であり、水道管内で洗浄用ボールを移送する行程を示す。
【図１８】同、水道管内の洗浄方法を示す図であり、洗浄用ボールが到達側の分岐管に到達した行程を示す。
【図１９】同、水道管内の洗浄方法を示す図であり、洗浄用ボールを破砕して回収する行程を示す。
【発明を実施するための形態】
【００１６】
以下、本発明における実施の形態を、図面を参照して説明する。
図１に示すように、１は地中に埋設された水道管（本管の一例）であり、水道管１には上流側の開閉弁２と下流側の開閉弁３とが設けられている。尚、図１，図１２，図１７〜図１９において、各開閉弁２，３が閉じている場合は黒塗りで表示し、開いている場合は白抜きで表示する。
【００１７】
両開閉弁２，３間は、水道管１内を洗浄する際に断水する断水区間４である。断水区間４内には上流の発進側消火栓部５と下流の到達側消火栓部６とが設けられている。両消火栓部５，６は、水道管１の管頂部から分岐した分岐管７，８と、分岐管７，８の上端に接続されたボール式等の補修弁９，１０と、補修弁９，１０の上端に接続された消火栓１１，１２とを有している。
【００１８】
消火栓部５，６はそれぞれ、地中に掘られた消火栓部収納用空間１３，１４内に収納されている。尚、分岐管７，８の内径は水道管１の内径よりも小さい。また、消火栓部収納用空間１３，１４の上面開口部は着脱自在な蓋１５，１６で閉じられている。また、両消火栓部５，６間は、水道管１内を洗浄する際の洗浄対象区間１７である。
【００１９】
図１７に示すように、２１は水道管１の洗浄対象区間１７を洗浄する洗浄装置である。この洗浄装置２１は、図２に示した膨縮自在な洗浄用ボール２２（洗浄用部材の一例）と、図３に示した挿入用筒２３と、挿入用筒２３を出し入れするための筒出入用棒材２４（筒回収手段の一例）と、図９に示したポリエチレン製の薄く且つ柔軟なチューブ２５（カバー体の一例）と、チューブ回収用線材２６（例えば紐等）と、水２７（流体の一例）を洗浄用ボール２２内に注入する注入手段２８と、図１７に示した接続短管５３，５４と、緊急時に洗浄用ボール２２を回収する緊急時ボール回収手段２９と、排水手段３０と、図４に示した押出用治具３１と、図１８に示すような洗浄用ボール２２を破砕して回収する銛６１（破砕手段）とを有している。
【００２０】
図２に示すように、洗浄用ボール２２は、ゴム（弾性材）製で且つ内部に中空部３２を有する球体部３３と、球体部３３の外面を覆うスポンジ部３４と、外部から中空部３２に連通した注水口３５とを備えている。尚、注水口３５には、注水口３５から中空部３２に注入された水２７（流体の一例）が外部へ流出することを防止するバルブ等の逆流防止機構（図示省略）が備えられている。
【００２１】
また、注入手段２８は、注水用ホース３７と、タンク（図示省略）内の水２７を注水用ホース３７へ送り出す注水用ポンプ３８とを有している。注水用ホース３７は、可撓性を有しており、先端部が洗浄用ボール２２の注水口３５に着脱自在に接続されている。
【００２２】
図３に示すように、挿入用筒２３は、両端が開口した金属製の筒であり、発進側の接続短管５３から開状態の補修弁９を経て分岐管７内に挿入可能な外径を有している。筒出入用棒材２４は、金属製の細い棒であり、挿入用筒２３の上端部に接続されている。尚、筒出入用棒材２４の上部にはストッパー３６が設けられている。
【００２３】
図４に示すように、押出用治具３１は、平行な二本の棒材４８と、両棒材４８の上部間に設けられた連結部材４９と、両棒材４８の下部間に設けられた押出板５０とを有している。押出板５０、は円形であり、中心部から外周面に至る半径方向の切欠部５１を有している。
【００２４】
図９に示すように、チューブ２５は一端が開口しており、チューブ回収用線材２６は、可撓性を有しており、チューブ２５の上端に接続されている。
図１２に示すように、発進側の接続短管５３は発進側の補修弁９の上端に着脱自在であり、到達側の接続短管５４は到達側の補修弁１０の上端に着脱自在である。
【００２５】
図１７に示すように、緊急時ボール回収手段２９は、洗浄用ボール２２に接続された回収用ロープ４０（回収用索体）と、回収用ロープ４０を巻取り送出しする巻取装置４１とを有している。巻取装置４１は、発進側の接続短管５３の上端に着脱自在な接続フレーム４２と、接続フレーム４２の上端に設けられたカウンター付きの電動式リール４３とを有している。尚、接続フレーム４２には回収用ロープ４０を案内する複数のプーリー４４が設けられている。
【００２６】
排水手段３０は、到達側の接続短管５４の上端に着脱自在な排水用接続管４５と、排水用接続管４５に接続された排水用ホース４６とを有している。尚、排水用接続管４５はＴ字管であり、排水用接続管４５の上端開口部は着脱自在な閉止蓋６０で閉じられている。
【００２７】
図１８に示すように、銛６１は、棒状部材６２の先端に、尖った突状部材６３を設けた構成を有している。
次に、洗浄装置２１を用いて水道管１の内面を洗浄する洗浄方法を説明する。
【００２８】
水道管１の洗浄作業を作業現場で行う前に、予め、作業現場以外の場所（例えば工場内等）において、下記のような準備作業を行っておく。
（１）図５に示すように、洗浄用ボール２２を、所定の外径寸法Ｄ１に収縮（縮径）させ、ロープ５５で縛る。この状態で洗浄用ボール２２を水に浸し、洗浄用ボール２２を十分に吸水させる。
【００２９】
（２）次に、図６に示すように、一つ割り形状の冷凍用筒５６の内部に洗浄用ボール２２を挿入し、冷凍用筒５６の内径が上記所定の外径寸法Ｄ１よりも小さな所定寸法Ｄ２になるまで、図７に示すように、複数の締付バンド５７で冷凍用筒５６を締め付けて洗浄用ボール２２をさらに縮径させる。尚、冷凍用筒５６は、塩化ビニル製の管に、一本のスリット５８を長手方向に形成したものである。
【００３０】
（３）その後、洗浄用ボール２２を冷凍用筒５６と共に冷凍庫へ入れて冷凍する。
（４）十分に冷凍した後、洗浄用ボール２２を冷凍用筒５６と共に冷凍庫から取り出し、図８に示すように、洗浄用ボール２２を冷凍用筒５６から取り出し、ロープ５５を取り除く。
【００３１】
（５）図９に示すように、縮径した冷凍状態の洗浄用ボール２２の外面にチューブ２５を被せ、洗浄用ボール２２の注水口３５に注水用ホース３７の先端を接続し、回収用ロープ４０の先端を洗浄用ボール２２に接続する。尚、この際、注水用ホース３７と回収用ロープ４０とはチューブ２５に形成された孔（図示省略）を貫通して洗浄用ボール２２に接続される。
【００３２】
（６）図１０に示すようにチューブ２５の外面に滑剤を塗布し、図１１に示すように、チューブ２５と共に洗浄用ボール２２を挿入用筒２３内に収める。この際、洗浄用ボール２２は冷凍状態であり、洗浄用ボール２２の外径寸法Ｄ２は挿入用筒２３の内径寸法Ｄ３よりも小さい値に設定されているので、チューブ２５と共に洗浄用ボール２２を挿入用筒２３内に容易に挿入することができる。
【００３３】
上記（１）〜（６）が準備作業であり、上記準備作業を行った後、時間の経過にともなって洗浄用ボール２２が解凍される。
（７）次に、図１２に示すように、両開閉弁２，３を閉じ、洗浄対象区間１７を断水状態（流れを遮断した状態）にする。その後、蓋１５，１６を取り外し、補修弁９，１０から消火栓１１，１２を取り外し、発進側の補修弁９の上端に接続短管５３を接続し、到達側の補修弁１０の上端に接続短管５４を接続する。この際、両補修弁９，１０を開にしておく。
【００３４】
（８）挿入用筒２３内の洗浄用ボール２２が解凍された後、挿入用筒２３を発進側（上流側）の接続短管５３から分岐管７内へ挿入し、筒出入用棒材２４を分岐管７内へ押下げることにより、図１３に示すように、挿入用筒２３を分岐管７から水道管１の管頂部（分岐管７と水道管１との接続連通部の一例）まで挿入する。尚、この際、ストッパー３６が上方から発進側の接続短管５３の上端に係合する。また、水道管１の管頂部の位置は予め実測して確認しておく。さらに、挿入用筒２３の外径寸法Ｄ４は補修弁９内の流路および分岐管７および接続短管５３の各内径よりも小さい。
【００３５】
（９）次に、図４，図１４に示すように、押出板５０を下向きにして押出用治具３１を発進側の接続短管５３から分岐管７内へ挿入し、押出板５０で挿入用筒２３内の洗浄用ボール２２の上端を下向きに押し、チューブ２５と共に洗浄用ボール２２を挿入用筒２３内から水道管１内に押し出す。
【００３６】
この際、ストッパー３６が上方から発進側の接続短管５３の上端に係合しているため、挿入用筒２３が分岐管７内から水道管１内に脱落するのを防止することができる。また、図４（ｂ）の仮想線で示すように、チューブ回収用線材２６と注水用ホース３７と回収用ロープ４０とを押出板５０の切欠部５１に挿通させておくことにより、チューブ回収用線材２６と注水用ホース３７と回収用ロープ４０が挿入用筒２３の内周面と押出板５０の外周面との間又は押出板５０と洗浄用ボール２２との間に挟まれるのを防止することができる。
【００３７】
また、上記のように押出用治具３１を用いて、洗浄用ボール２２を挿入用筒２３内から水道管１内へ押し出すとき、作業者の人力のみで押出用治具３１を押下げてもよいし、或は、作業者の労力を軽減するために、レバーブロック等の補助器具を使用して押出用治具３１を押下げてもよい。
【００３８】
このように、縮径した状態の洗浄用ボール２２とチューブ２５とが収められた挿入用筒２３を、分岐管７から水道管１の管頂部に挿入した後、チューブ２５と共に洗浄用ボール２２を挿入用筒２３内から水道管１内へ押し出すことにより、洗浄用ボール２２を分岐管７から水道管１内へスムーズに挿入することができる。
【００３９】
この際、チューブ２５の外面に滑剤が塗布されているため、チューブ２５と挿入用筒２３との摩擦抵抗が低減され、これにより、洗浄用ボール２２をチューブ２５と共に挿入用筒２３内から水道管１内へスムーズ且つ確実に押し出すことができる。
【００４０】
（１０）次に、押出用治具３１を分岐管７から引き上げて発進側の接続短管５３から引き抜いた後、図１５に示すように、チューブ回収用線材２６を上方向に引張り、チューブ２５を分岐管７内に引上げて発進側の接続短管５３から上方へ回収する。
【００４１】
（１１）図２，図１６に示すように、注水用ポンプ３８を稼動し、タンク内の水２７を注水用ホース３７から洗浄用ボール２２の注水口３５を通じて中空部３２に所定量注入することにより、洗浄用ボール２２を拡径させる。これにより、洗浄用ボール２２の外面（すなわちスポンジ部３４）が水道管１の内面に確実に接触した状態になる。
【００４２】
（１２）注水用ホース３７を上方向に引っ張って、注水用ホース３７の先端を洗浄用ボール２２の注水口３５から取り外した後、注水用ホース３７を分岐管７内から発進側の接続短管５３の上方へ回収する。また、筒出入用棒材２４を上方に引上げることにより、挿入用筒２３を分岐管７内から発進側の接続短管５３の上方へ回収する。
【００４３】
これにより、洗浄用ボール２２を水道管１内に挿入して拡径する作業が完了し、内径の小さな分岐管７から分岐管７よりも内径の大きな水道管１に洗浄用ボール２２を挿入することができる。
【００４４】
（１３）次に、図１７に示すように、緊急時ボール回収手段２９の接続フレーム４２の下端フランジを発進側の接続短管５３の上端フランジに接合する。この際、接続フレーム４２の下端フランジと発進側の接続短管５３の上端フランジとの間をガスケット等のシール材（図示せず）でシールし、また、接続フレーム４２の下端フランジと回収用ロープ４０との間をパッキン等のシール材（図示せず）でシールする。
【００４５】
（１４）到達側の接続短管５４の上端に排水用接続管４５を接続し、排水用接続管４５に排水用ホース４６を接続する。
（１５）下流側の開閉弁３を引き続き閉じた状態のままで、上流側の開閉弁２を開く。これにより、水道管１内の水が、開閉弁２から水道管１の洗浄対象区間１７を流れ、到達側の分岐管８から補修弁１０と接続短管５４と排水用接続管４５とを通って排水用ホース４６へ排水される。このため、拡径状態の洗浄用ボール２２が水圧によって水道管１内の洗浄対象区間１７を発進側から到達側へ移送され、この際、洗浄用ボール２２のスポンジ部３４が水道管１の内面を摺動することにより、水道管１の内面が洗浄される。また、このとき、洗浄用ボール２２の移送に伴って、緊急時ボール回収手段２９の回収用ロープ４０がリール４３から送り出される。
【００４６】
（１６）図１８に示すように、洗浄用ボール２２が到達側の分岐管８の直下に達すると、上流側の開閉弁２を閉じて、洗浄対象区間１７を断水させる。尚、リール４３のカウンターで回収用ロープ４０の送り出し長さを測定することで、水道管１内の洗浄用ボール２２の位置が判明する。
【００４７】
その後、閉止蓋６０を排水用接続管４５の上端開口部から取り外し、銛６１を排水用接続管４５の上端開口部から到達側の分岐管８内に挿入し、銛６３の先端で洗浄用ボール２２を突き刺して破砕する。
【００４８】
（１７）次に、図１９に示すように、中央部分に貫通孔６４ａを有するフランジ蓋６４を排水用接続管４５の上端部に取付ける。この際、銛６１の棒状部材６２をフランジ蓋６４の貫通孔６４ａに挿通しておく。尚、棒状部材６２と貫通孔６４ａの内周面との間はパッキン等のシール材でシールされている。
【００４９】
そして、上流側の開閉弁２を開いて、水道管１内の水を排水用ホース４６へ通水しながら、破砕された洗浄用ボール２２を銛６１で排水用接続管４５の上端開口部まで引上げる。その後、開閉弁２を閉じて洗浄対象区間１７を断水させ、フランジ蓋６４を排水用接続管４５から取り外し、破砕された洗浄用ボール２２を排水用接続管４５の上端開口部から取り出して回収する。これにより、水道管１の洗浄作業が完了する。
【００５０】
尚、万一、洗浄用ボール２２が、到達側の分岐管８に達する前に、洗浄対象区間１７の途中で破砕した場合、緊急時ボール回収手段２９のリール４３を作動させて回収用ロープ４０を巻き取ることにより、洗浄用ボール２２を発進側の分岐管７へ引き戻して接続短管５３から回収することができる。
【００５１】
洗浄作業完了後、緊急時ボール回収手段２９と排水手段３０と両接続短管５３，５４とを取り外し、図１に示すように、両消火栓１１，１２と両蓋１５，１６とを取り付ける。
上記実施の形態では、上記洗浄方法の（６）において、チューブ２５の外面に滑剤を塗布し、チューブ２５と共に洗浄用ボール２２を挿入用筒２３内に収めているが、滑剤を挿入用筒２３の内面に塗布して、チューブ２５と共に洗浄用ボール２２を挿入用筒２３内に収めてもよい。また、滑剤をチューブ２５の外面と挿入用筒２３の内面との両面に塗布してもよい。
【００５２】
尚、仮に、チューブ２５を用いず、洗浄用ボール２２の外面に滑剤を直接塗布した後、洗浄用ボール２２を挿入用筒２３内に収めた場合、滑剤が挿入用筒２３に固着して洗浄用ボール２２を挿入用筒２３内から水道管１内へ押し出すことができない虞がある。
【００５３】
上記実施の形態では、本管の一例として水道管１を挙げたが、水道管１に限定されるものではなく、例えば下水道管等であってもよい。
上記実施の形態では、消火栓用の分岐管７，８を利用して水道管１を洗浄しているが、消火栓用に限定されるものではなく、例えば、空気管用の分岐管や各種補修用の分岐管等を利用して洗浄してもよい。
【００５４】
上記実施の形態では、図１８，図１９に示すように、銛６１を用いて洗浄用ボール２２を破砕して回収しているが、洗浄用ボール２２の回収方法は、上記の方法のみに限定されるものではなく、別の方法で回収してもよい。
【符号の説明】
【００５５】
１      水道管（本管）
７      分岐管
２１    洗浄装置
２２    洗浄用ボール（洗浄用部材）
２３    挿入用筒
２４    筒出入用棒材（筒回収手段）
２５    チューブ（カバー体）
２７    水（流体）
２８    注入手段
３１    押出用治具
３２    中空部
【図１】
0005709469.tif 000002
【図２】
0005709469.tif 000003
【図３】
0005709469.tif 000004
【図４】
0005709469.tif 000005
【図５】
0005709469.tif 000006
【図６】
0005709469.tif 000007
【図７】
0005709469.tif 000008
【図８】
0005709469.tif 000009
【図９】
0005709469.tif 000010
【図１０】
0005709469.tif 000011
【図１１】
0005709469.tif 000012
【図１２】
0005709469.tif 000013
【図１３】
0005709469.tif 000014
【図１４】
0005709469.tif 000015
【図１５】
0005709469.tif 000016
【図１６】
0005709469.tif 000017
【図１７】
0005709469.tif 000018
【図１８】
0005709469.tif 000019
【図１９】
0005709469.tif 000020